(57)【要約】【課題】  デジタル回路によって情報信号に同期したタイミングで正確に再生データを検出する。【解決手段】  記録媒体から情報信号を再生する再生手段と、前記再生手段により再生された情報信号を前記情報信号の周波数よりも高い所定の周波数のクロックに応じてサンプリングして第１のデジタル信号に変換する変換手段と、前記変換手段から出力された第１のデジタル信号中のサンプル数を増加させ、第２のデジタル信号を生成するオーバーサンプル手段と、前記再生手段により再生された情報信号の周波数と前記情報信号の位相変動量とに基づいて、前記第２のデジタル信号から隣接した二つのサンプルを選択し、前記選択したサンプルのデジタル信号を用いて再生データを生成する再生データ検出手段とを備える。【選択図】  図２
2009116917.tif 000002
【特許請求の範囲】
【請求項１】
記録媒体から情報信号を再生する再生手段と、
前記再生手段により再生された情報信号を前記情報信号の周波数よりも高い所定の周波数のクロックに応じてサンプリングして第１のデジタル信号に変換する変換手段と、
前記変換手段から出力された第１のデジタル信号のサンプル数を増加させ、第２のデジタル信号を生成するオーバーサンプル手段と、
前記再生手段により再生された情報信号の周波数と前記情報信号の位相変動量とに基づいて、前記第２のデジタル信号から隣接した二つのサンプルを選択し、前記選択したサンプルのデジタル信号を用いて再生データを生成するデータ検出手段とを備える再生装置。
【請求項２】
前記データ検出手段は、前記再生手段により再生された情報信号の周波数と前記情報信号の位相変動量とに基づき、前記第２のデジタル信号における前記再生データの位置を判別し、前記判別した位置に基づいて前記二つのサンプルを選択することを特徴とする請求項１記載の再生装置。
【請求項３】
前記データ検出手段は、前記選択した二つのサンプルのデジタル信号を前記判別した位置に応じた比率で合成することにより前記再生データを生成することを特徴とする請求項１または２記載の再生装置。
【請求項４】
前記データ検出手段から出力された再生データに応じて前記再生された情報信号の位相変動量を検出する位相検出手段を備えたことを特徴とする請求項２または３記載の再生装置。
【請求項５】
第１の速度で前記情報信号を再生する第１のモードと、前記１の速度よりも速い第２の速度で前記情報信号を再生する第２のモードを有し、前記変換手段は、前記第１のモードと第２のモードの何れにおいても前記所定の周波数のクロックに応じて再生された情報信号をサンプリングすることを特徴とする請求項１から４の何れかに記載の再生装置。
【請求項６】
前記オーバーサンプリング手段は前記第１のデジタル信号をフィルタ処理してサンプル数を増加させるｎタップのフィルタを有し、前記第１のモードと第２のモードとで、前記フィルタの周波数特性を変更することを特徴とする請求項５記載の再生装置。
【発明の詳細な説明】
【技術分野】
【０００１】
本発明は再生装置に関し、特に、記録媒体に記録された情報信号に同期した再生データを検出する装置に関する。
【背景技術】
【０００２】
従来、ＤＶＤなどの光ディスクに対してデータを記録再生する装置が知られている。
【０００３】
また、ビデオカメラ用として、直径８ｃｍの小径ディスクが開発され、この様な８ｃｍディスクに対して映像、音声を記録するビデオカメラも登場している（例えば、特許文献１参照）。
【０００４】
また、近年、ＤＶＤからのデータの読み出し速度は、規格で定められた速度の２倍速や４倍速が一般的となり、更に、８倍速、１６倍速のものも登場している。
【特許文献１】特開２００３−１０１９２６
【発明の開示】
【発明が解決しようとする課題】
【０００５】
ディスクビデオカメラなどのディスク装置では、ディスクに記録した信号を再生する際、再生信号に同期したクロックを生成し、このクロックを用いて再生データをデジタル信号に変換し、元のデータを復元する。
【０００６】
再生信号をデジタル信号に変換する際、ＡＤ変換器が必要になる。ＡＤ変換を行う場合、不要な帯域を低減するためのプレフィルタが必要になる。
【０００７】
しかしながら、前述の様に、ＤＶＤからのデータ読み出し速度が変わると再生データの周波数も変化するため、それに応じてプレフィルタの帯域も変える必要がある。
【０００８】
そのため、異なるデータ再生速度で再生された信号をデジタル信号に変換し、元のデータを検出するためには、各再生倍速に対応したアナログのプレフィルタを複数用意する必要があるという問題があった。
【０００９】
本発明はこの様な問題を解決し、回路規模やコストを抑えながら、デジタル回路によって情報信号に同期したタイミングで正確に再生データを検出することが可能な装置を提供することを目的とする。
【課題を解決するための手段】
【００１０】
本発明においては、記録媒体から情報信号を再生する再生手段と、前記再生手段により再生された情報信号を前記情報信号の周波数よりも高い所定の周波数のクロックに応じてサンプリングして第１のデジタル信号に変換する変換手段と、前記変換手段から出力された第１のデジタル信号中のサンプル数を増加させ、第２のデジタル信号を生成するオーバーサンプル手段と、前記再生手段により再生された情報信号の周波数と前記情報信号の位相変動量とに基づいて、前記第２のデジタル信号から隣接した二つのサンプルを選択し、前記選択したサンプルのデジタル信号を用いて再生データを生成する再生データ検出手段とを備える。
【発明の効果】
【００１１】
本発明によれば、デジタル回路によって情報信号に同期したタイミングで正確に再生データを検出することができる。
【発明を実施するための最良の形態】
【００１２】
図１は、本発明の実施形態における再生装置の構成を示す図である。
【００１３】
図１において、ディスクＤは光ディスクであり、本実施形態ではＤＶＤである。ピンドルモータ１０７は、ディスクＤを所定速度で回転させる。本実施形態では、ディスクＤを規格で決められた速度の４倍の速度で回転させてデータを読み取る４倍速再生モード、及び、２倍速で回転させてデータを再生する２倍速再生モードを持つものとする。これらのモードは、ユーザが切り替えることもできるが、装置が自動的に切り替える構成でもよい。
【００１４】
１０３はレーザドライバであり、スプリッタ１０２、レンズ１０１を介してディスクＤに対してレーザビームをディスクＤに照射する。ディスクＤからの反射光がスプリッタ１０２により受光センサ１０４に送られる。受光センサ１０４は、反射光を受け、電気信号に変換してデータ検出部１０５に送る。データ検出部１０５は受光センサからの出力信号から、デジタルデータを検出して再生処理部１０６に送る。本実施形態では、動画データや音声データが圧縮符号化されてディスクＤに記録されている。再生処理部１０６はデータ検出部１０５により検出されたデジタルデータから画像データや音声データなどの情報データを復元して出力する。１０８はシステム制御部であり、不図示の操作スイッチからのユーザの指示に応じて装置の各部を制御する。また、システム制御部１０８は、ディスクＤの再生倍速に応じてスピンドルモータ１０７の回転速度を制御すると共に、データ検出部１０５に対し、再生倍速に応じた再生データの中心周波数情報を出力する。
【００１５】
次に、データ検出部１０５について説明する。
【００１６】
図２はデータ検出部１０５の構成を示す図である。
【００１７】
図において、受光センサ１０４からの信号がプレフィルタ２０１に入力され、不要な周波数帯域の成分、ここでは高周波数成分が除去される。このプレフィルタ２０１は、次段のＡＤ変換器２０２でＡＤ変換する際に高域の折り返しが出ないように、ＡＤ変換器２０２におけるサンプリング周波数の半分以上の周波数帯域を除去しておくためのアンチエイリアスフィルタである。
【００１８】
ＡＤ変換器２０２は、プレフィルタ２０１によりフィルタ処理された再生信号を基準クロックに従ってサンプリングし、１サンプルｎビット（ｎは２以上の整数）デジタル信号に変換してデジタルフィルタ２０３に出力する。本実施形態において、４倍速再生時でのプレフィルタ２０１に入力される再生信号の周波数は１０１．６ＭＨｚであり、２倍速再生時においては４倍速再生時の半分である５０．８ＭＨｚである。また、ＡＤ変換器２０２には、基準クロック発生部２０９により生成された１０８ＭＨｚの基準クロックが供給されており、ＡＤ変換器２０２はこの１０８ＭＨｚのクロックに従ってプレフィルタ２０１からの信号をサンプリングする。
【００１９】
なお、本実施形態では、ＡＤ変換器２０２に供給するクロックの周波数を、４倍速再生時における再生信号の周波数である１０１．６ＭＨｚよりも若干高い周波数で、且つ、１３．５の整数倍である１０８ＭＨｚとした。
【００２０】
デジタルフィルタ２０３は、ＡＤ変換器２０２からのデジタルデータに対し、以下を目的としてフィルタ処理を行う。
（１）不要な高域を落とす。
（２）デジタルデータのサンプル数を増加させ、次段の補間部２０４で必要な４倍オーバーサンプルデータを生成する。
【００２１】
まず、（１）について、図７を用いて模式的に説明する。
【００２２】
図７の７０１は、プレフィルタ２０１の周波数特性を示す図である。７０２に示した様に、プレフィルタ２０１は、ＡＤ変換器２０２のサンプリング周波数である１０８ＭＨｚの半分の５４ＭＨｚ以上の帯域を低減している。
【００２３】
また、図７の７０２は、後述の様に、ＡＤ変換後、デジタルフィルタ２０３、及び補間部２０４による処理を通じた周波数特性を示している。補間部２０４から出力されるデータの周波数特性は、５１ＭＨｚ以上の帯域が低減されている。なお、再生データの周波数は前記の通り１０１．６ＭＨｚであるため、ＡＤ変換後、デジタルフィルタ２０３、及び補間部２０４による処理を通じた周波数特性は、厳密には５０．８ＭＨｚ以上を低減する特性であればよい。
【００２４】
次に、（２）の点について説明する。
【００２５】
本実施形態では、次段の補間部２０３において、基準クロックに従いＡＤ変換されたデータから、再生信号に同期したクロックのタイミングに応じた位置の再生データを生成する。そのため、ＡＤ変換器２０２から出力されたデジタルデータのサンプル数を増加させる。具体的には、ＡＤ変換器２０２からのデジタルデータにおける二つのサンプル間に三つのサンプルを挿入した４倍オーバーサンプルのデジタルデータを生成する。
【００２６】
図４を用いてこの様子を説明する。
【００２７】
図４（ａ）は、ＡＤ変換器２０２からの二つのサンプル間に三つのサンプルを挿入した様子を示している。図中の白丸はＡＤ変換器２０２からの出力データで、黒丸が挿入したサンプルである。ただし、図４（ａ）では、挿入したサンプルの値は０である。そして、ＡＤ変換器２０２からの出力サンプル（白丸）を用いて演算（補間）し、この様に挿入されたサンプル（黒丸）の値を求める。
【００２８】
図４（ｂ）はこの様に補間演算した結果を示す図である。
【００２９】
図４（ｂ）に示すＡ，Ｃ，Ｄの三つのサンプル値が、複数のＡのサンプル値を用いて求められる。
【００３０】
図３はこの様な処理を行うデジタルフィルタ２０３の構成を示す図である。
【００３１】
図３に示した様に、デジタルフィルタ２０３は、１０タップのＦＩＲフィルタを並列に四つ並べた構成となっている。ただし、本実施形態では、後述の様に、２倍速再生時には２０タップのＦＩＲフィルタを四つ並べた構成とするため、実際には、この２０タップのＦＩＲフィルタの一部の係数を０に設定することで、１０タップのＦＩＲフィルタを実現している。また、各ＦＩＲフィルタをｎタップの構成とし、タップ数、及びタップ係数は再生信号の周波数に応じて適宜設定することが可能である。
【００３２】
そして、ＡＤ２０２から出力されたデジタルデータの各サンプルが、四つのＦＩＲフィルタ３０１〜３０４に対し、それぞれ出力される。
【００３３】
各ＦＩＲフィルタのタップ係数は、それぞれ、図４（ｂ）におけるサンプルＡ，Ｂ，Ｃ，Ｄの位置に対応して設定されている。そして、各ＦＩＲフィルタは入力されたサンプル（ここでは連続した１０個のサンプル）値を用いて演算を行い、それぞれ、図４（ｂ）におけるサンプルＡ，Ｂ，Ｃ，Ｄの値を算出する。その結果、ＦＩＲフィルタ３０１〜３０４からは、図４（ｂ）における一つの白丸と三つの黒丸からなるサンプルＡ〜Ｄが同時に出力される。
【００３４】
これにより、ＡＤ変換器２０２を実際に１０８ＭＨｚ×４＝４３２ＭＨｚで動作させること無く、基準クロックの４倍の周波数でサンプリングしてＡＤ変換した結果と等しいオーバーサンプルデータを得ることができる。
【００３５】
図８の８０１は、補間部２０３におけるフィルタ特性を示す図である。
【００３６】
デジタルフィルタ２０３により生成されたデジタルデータは、４系列（チャンネル）のデータとして補間部２０４に出力される。
【００３７】
補間部２０４には再生データの他に、システム制御部１０８からの再生クロックの中心周波数情報と、ループフィルタ２０８からの周波数変動の情報が与えられている。そして、これらの周波数情報を用いて、再生データに同期したクロックのタイミングを算出し、算出したクロックタイミングにおける再生データを生成する。
【００３８】
図５は補間部２０４の構成を示す図である。
【００３９】
図５において、デジタルフィルタ２０３から並列に出力された四つのサンプルＡ〜Ｄは、セレクタ５０１と５０２に供給される。ただし、サンプルＡだけは遅延部５０４により１クロック期間遅延されてセレクタ５０２に供給される。
【００４０】
変換部５０８は、システム制御部１０８からの再生倍速に応じた再生クロックの中心周波数情報から、ループフィルタ２０８からの周波数変動の情報を減算し、更に周波数の逆数に変換する。これにより、次のクロックタイミングまでの間隔Δｔを算出し、加算部５０６に出力する。
【００４１】
変換部５０８に出力される周波数情報は、後述の様に、再生信号に位相同期したクロックの周波数変動を示す情報である。この周波数情報をクロックタイミングの情報に変換することにより、再生データの位相変動に同期したクロックタイミングを得ることができる。
【００４２】
加算部５０６のもう一方の入力には、レジスタ５０７からの位置情報が入力される。レジスタ５０７は、１０８ＭＨｚの基準クロック位置からの前回の再生データの位置情報が格納されており、加算部５０６はこれらを加算して区間判別部５０５に出力する。
【００４３】
具体的には、加算部５０５は、レジスタ５０７の値と変換部５０８からの値を加算した和から、基準クロック期間に対応した所定値を減算した結果を出力する。
【００４４】
区間判別部５０５は、再生データのクロックタイミングがサンプルＡ〜Ｄを両端とする４系列データのどの区間に入っているかを判別する。そして、サンプルＡ〜Ｄのうち、判定した当該区間の両端のサンプルを選択して線形補間部５０３に出力するよう、２ビットの制御信号をセレクタ５０１、５０２に出力する。また、判定結果に従い、更新されたクロックタイミングの基準クロックからの時間情報を算出してレジスタ５０７に出力する。
【００４５】
更に、区間判別部５０５は、判定した区間と、基準クロックからの時間情報とに従い、セレクタ５０１、５０２からのサンプル値を用いて補間演算を行う際に用いる比率を線形補間部５０３に出力する。
【００４６】
更に、区間判別部５０５は、基準クロック間に再生データのクロックタイミングが存在するか否かに応じて、クロックイネーブルの信号を出力する。
【００４７】
次に、図５の補間部２０４の動作の様子を、図６を用いて説明する。
【００４８】
図６において、図４と同様、白丸がＡＤ変換部２０２から出力されたサンプリングデータ、黒丸がデジタルフィルタ２０３により生成された４倍オーバーサンプリングデータである。また、６０１、６０２の三角が、再生データとして検出すべきサンプルであるとする。また、ｔｓ１〜ｔｓ５は１０８ＭＨｚの基準クロックのタイミングであり、ｔ１、ｔ２はそれぞれ、４倍速再生時において再生データに位相同期したクロックによる再生データの位置（タイミング）を示している。
【００４９】
今、検出データ６０２を生成しようとしているものとする。
【００５０】
この場合、レジスタ５０７には、基準クロックのタイミングｔｓからの前回のデータ検出点ｔ１の時間差Ａ１を示す値が保持されている。そして、変換部５０８によりループフィルタ２０８からの周波数情報の逆数を演算することで、再生データのクロック期間Δｔを求め、ｔ１にΔｔを加えることで、再生データに同期した次のクロックタイミングｔ２を求める。その結果、レジスタ２０７の値は、基準クロックタイミングｔｓとｔ２との差であるＡ２の値に更新される。
【００５１】
また、区間判別部５０５は、このＡ２の値に基づいて、再生データの位置が、基準クロックの期間６０６におけるどの区間に存在するかを判別する。
【００５２】
具体的には、基準クロックの区間６０６を、その間に含まれた隣接する二つのサンプルで四つの区間Ｉ〜IVに区切る。そして、再生データの位置ｔ２が、この四つの区間の何れに含まれるかを判別する。
【００５３】
図６では、区間IVに含まれていることがわかる。
【００５４】
そこで、区間IVの隣接したサンプル６０４、６０５をセレクタ５０１、５０２により選択する。そして、これらのサンプル値を、再生データの位置に応じた比率で合成することにより線形補間し、再生データの検出タイミングにおけるデータ６０４の値を算出する。
【００５５】
同様に、再生データに同期したクロックの次のタイミングはｔ３となり、検出データ６０３の値が算出される。この時、基準クロックｔｓ３とｔｓ４の間には再生データのクロック点が無いので、クロックがディスエーブルされる。６０８はクロックイネーブル／ディスエーブルを示す２値信号であり、この２値信号６０８が図２のビタビ検出部２０５、復調部２０６、位相検出部２０７、ループフィルタ２０８に出力される。これら各回路は、クロックイネーブル期間だけ動作する。
【００５６】
４倍速再生時においては、再生データのクロック周波数が１０１．６ＭＨｚであり、一方、ＡＤ変換時の基準クロック周波数は１０８ＭＨｚである。そのため、１０８ＭＨｚのクロックタイミングのうち、数クロックに１回、再生データのクロックタイミングが存在しない期間がある。図６では、６０７がその期間に相当する。
【００５７】
図２に戻って説明を続ける。
【００５８】
補間部２０４により検出されたデータはビタビ復号部３０５と位相検出部２０７に出力される。また、再生データの検出タイミングで無い場合にクロックをディスエーブルする信号を生成し、ビタビ復号部２０５、復調部２０６、位相検出部２０７、及びループフィルタ２０８に出力する。
【００５９】
ビタビ復号部２０５は、補間部２０４から出力された再生データから１サンプル１ビットの２値デジタルデータを検出し、復調部２０６に出力する。復調部２０６は再生データに対して所定の復調処理を施して、図１の再生処理部１０６に出力する。
【００６０】
また、位相検出部２０７は、補間部２０４から出力された、再生データに同期したクロック点での再生信号レベルに基づいて、再生した情報信号の位相変動量を検出し、ループフィルタ２０８に出力する。ループフィルタ２０８は、位相検出部２０７の出力をラグリード積分処理することにより周波数情報に変換し、補間部２０４に出力する。このように、補間部２０４、位相検出部２０７、ループフィルタ２０８により、再生データに同期したクロックを生成するためのＰＬＬが構成されている。
【００６１】
ここまでは、ディスクＤを４倍速で回転させて信号を再生する場合について説明してきた。次に、ディスクＤからのデータ読み取り速度を２倍速とした場合について考える。
【００６２】
データ読み取り速度が２倍速になると、再生信号の周波数も４倍速再生のときの半分になる。
【００６３】
即ち、４倍速再生時においては、再生信号の周波数は１０１．６ＭＨｚであったため、２倍速再生時においては、５０．８ＭＨｚとなる。
【００６４】
そのため、ＡＤ変換器が５０．８ＭＨｚで再生信号をサンプリングした場合、プレフィルタは５０．８ＭＨｚの半分である２５．４ＭＨｚ以上の帯域を抑圧しなければならないことになる。
【００６５】
しかし、本実施形態では、２倍速再生時においても、ＡＤ変換器２０２に対しては、４倍速再生時と同様、１０８ＭＨｚの基準クロックを供給する。そのため、プレフィルタ２０１の通過帯域は、４倍速再生時と同様、５４ＭＨｚでよい。
【００６６】
一方、２倍速再生時には、４倍速再生時に対してデジタルフィルタ２０３と補間部２０４の処理を変更する。
【００６７】
本実施形態では、２倍速再生時においても、デジタルフィルタは１０８ＭＨｚの基準クロックに従って動作する。そのため、４倍速再生時に比べ、フィルタの特性を狭帯域にする必要がある。そこで、デジタルフィルタ２０３を、四つの２０タップのＦＩＲフィルタで構成する。
【００６８】
各ＦＩＲフィルタのタップ係数は、それぞれ、図４（ｂ）におけるサンプルＡ，Ｂ，Ｃ，Ｄの位置に対応して設定されている。そして、各ＦＩＲフィルタは入力されたサンプル（ここでは連続した２０個のサンプル）値を用いて演算を行い、それぞれ、図４（ｂ）におけるサンプルＡ，Ｂ，Ｃ，Ｄの値を算出する。その結果、ＦＩＲフィルタ３０１〜３０４からは、４倍速再生時と同様に、図４（ｂ）における一つの白丸と三つの黒丸からなるサンプルＡ〜Ｄが同時に出力される。
【００６９】
なお、本実施形態では、４倍速再生時と２倍速再生時とで、デジタルフィルタ２０３を兼用する。即ち、２倍速再生用の２０タップのＦＩＲフィルタのタップ係数を適宜変更することで、４倍速再生用の１０タップのＦＩＲフィルタを実現することができる。
【００７０】
図７の７０３は、２倍速再生時における、ＡＤ変換器２０２、デジタルフィルタ２０３、及び補間部２０４を通じた周波数特性を示す図である。
【００７１】
また、補間部２０４については、システム制御部１０８から供給される中心周波数情報が４倍速再生時と異なる。しかし、基準クロック期間を四つの区間に分割し、再生データのクロックタイミングが、この四つの区間の何れに含まれるかを判別する構成は同様である。
【００７２】
図９は、２倍速再生時における補間部２０４の処理を説明するための図である。
【００７３】
図９において、図４、図６と同様、白丸がＡＤ変換部２０２から出力されたサンプリングデータ、黒丸がデジタルフィルタ２０３により生成された４倍オーバーサンプリングデータである。また、９０１、９０２の三角が、再生データとして検出すべきサンプルであるとする。また、ｔｓ１〜ｔｓ５は１０８ＭＨｚの基準クロックのタイミングであり、ｔ１、ｔ２はそれぞれ、再生データに位相同期したクロックによる再生データの検出位置を示している。２倍速再生時においては、再生データの周波数は５０．８ＭＨｚであるとする。
【００７４】
今、検出データ９０２を生成しようとしているものとする。
【００７５】
この場合、レジスタ５０７には、基準クロックのタイミングｔｓからの前回のデータ検出点ｔ１の時間差Ａ１を示す値が保持されている。そして、変換部５０８により再生クロック周波数の逆数を演算することで、再生データのクロック期間Δｔを求める。ｔ１にΔｔを加えることで、再生データに同期した次のクロックタイミングｔ２を求める。その結果、レジスタ２０７の値は、基準クロックタイミングｔｓとｔ２との差であるＡ２の値に更新される。
【００７６】
また、この時、基準クロックｔｓ２とｔｓ３の間には再生データのクロック点が無いので、クロックがディスエーブルされる。９０７はクロックイネーブル／ディスエーブルを示す２値信号であり、この２値信号９０７が図２のビタビ検出部２０５、復調部２０６、位相検出部２０７、ループフィルタ２０８に出力される。これら各回路は、クロックイネーブル期間だけ動作する。
【００７７】
また、区間判別部５０５は、このＡ２の値に基づいて、再生データのクロックタイミングが、基準クロックの期間９０５におけるどの区間に存在するかを判別する。
【００７８】
具体的には、基準クロックの区間９０５を、その間に含まれた隣接する二つのサンプルで四つの区間Ｉ〜IVに区切る。そして、再生データのクロックタイミングｔ２が、この四つの区間の何れに含まれるかを判別する。
【００７９】
図９では、区間Ｉに含まれていることがわかる。
【００８０】
従って、区間Ｉの両隣接サンプル９０３、９０４をセレクタ５０１、５０２により選択し、これらのサンプル値を線形補間演算することにより、再生データの検出タイミングにおけるデータ９０２の値を算出する。
【００８１】
同様に、再生データに同期したクロックの次のタイミングはｔ３となる。
【００８２】
この時、基準クロックｔｓ４とｔｓ５の間には再生データのクロック点が無いので、クロックがディスエーブルされる。
【００８３】
２倍速再生時においては、再生データのクロック周波数が５０．８ＭＨｚであり、一方、ＡＤ変換時の基準クロック周波数は１０８ＭＨｚである。そのため、１０８ＭＨｚのクロックタイミングのうち、ほぼ２クロックに１回、再生データのクロックタイミングが存在しない期間がある。図９では、９０６、９０８がディスエーブル期間に相当する。
【００８４】
この様に、本実施形態においては、再生データの周波数よりも高い所定周波数の基準クロックに従って再生データをＡＤ変換している。
【００８５】
そして、ＡＤ変換後のデータのサンプル数を増加させ、このオーバーサンプリングデータのうち、再生データに同期したクロック点に隣接する二つのサンプルを補間演算することで、再生データのサンプル値を算出している。
【００８６】
そのため、２倍速再生時と４倍速再生時の何れにおいても、ＡＤ変換器のプレフィルタを共通に使用することが可能となる。
【００８７】
また、再生信号の周波数が基準クロック周波数よりも低ければ、どのような周波数であってもＡＤ変換器のサンプリング周波数が固定であるので、ＡＤ変換器のプレフィルタを共通に使用することが可能となる。
【００８８】
例えば、ディスクＤからの再生速度を４倍速として、その再生信号周波数１０１．６ＭＨｚに基づいてＡＤ変換器の動作周波数を設定した上で、ＡＤ変換器をデジタル信号処理用のＬＳＩに内蔵することが考えられる。
【００８９】
その場合、ＡＤ変換器の動作周波数を、２倍速再生時に５０．８ＭＨｚに下げても消費電力はそれほど下がらない。これは、高速の処理に対応するために、ＡＤ変換器内部の各所が高電流タイプのトランジスタを使ってしまっていることによるので、ある程度避けることができない。
【００９０】
この様に、ＡＤ変換器の動作周波数を下げることによるメリットがあまり無い。そこで、本実施形態では、ＡＤ変換器のクロックを変えずに、同じ基準周波数でＡＤ変換器を動作させることで、アナログ回路であるプレフィルタをシンプルにし、帯域制限はデジタル回路側で行うことした。
【００９１】
これにより、全体としてローコスト化、省電力化、省スペース化を図ることができる。
【図面の簡単な説明】
【００９２】
【図１】本発明の実施形態における再生装置の構成を示すブロック図である。
【図２】データ検出部の構成を示す図である。
【図３】デジタルフィルタの構成を示す図である。
【図４】デジタルフィルタによる４倍オーバーサンプルデータの生成の様子を示す図である。
【図５】補間部の構成を示す図である。
【図６】補間部による区間判別処理を示す図である。
【図７】プレフィルタの周波数特性を示す図である。
【図８】オーバーサンプリングデータの周波数特性を示す図である。
【図９】補間部による区間判別処理を示す図である。
【図１】
2009116917.tif 000003
【図２】
2009116917.tif 000004
【図３】
2009116917.tif 000005
【図４】
2009116917.tif 000006
【図５】
2009116917.tif 000007
【図６】
2009116917.tif 000008
【図７】
2009116917.tif 000009
【図８】
2009116917.tif 000010
【図９】
2009116917.tif 000011